(57)【要約】  フィルタ部材の不織布の重なり部の量を減らしてライフを長くすることが求められる。中心軸を有する筒状の不織布を形成し、その中心軸に沿って所定の間隔をもって並んで形成される同一形状の複数の多角形の断面を有するフィルタ部材であって、前記多角形のそれぞれは各辺が前記中心軸に垂直な面に山折部で形成される、前記複数の多角形の断面において、隣り合う多角形同士において、一方の多角形の各頂点は他方の多角形の各頂点と山折部で連結され、前記一方の多角形の各頂点と前記他方の多角形の各頂点とを連結する山折部のうち、隣り合う山折部の間には谷折部が形成されていて、前記一方の多角形において一の頂点では前記山折部と前記谷折部とが連結しており、その谷折部は、その山折部が連結する前記他方の多角形における頂点の隣の頂点に連結しており、前記谷折部は、前記中心軸に対して斜めに形成されているフィルタ部材により解決する。
2018092178.tif 000002
【特許請求の範囲】
【請求項１】
中心軸を有する筒状の不織布を形成し、その中心軸に沿って所定の間隔をもって並んで形成される同一形状の複数の多角形の断面を有するフィルタ部材であって、前記多角形のそれぞれは各辺が前記中心軸に垂直な面に山折部で形成される、
前記複数の多角形の断面において、隣り合う多角形同士において、一方の多角形の各頂点は他方の多角形の各頂点と山折部で連結され、
前記一方の多角形の各頂点と前記他方の多角形の各頂点とを連結する山折部のうち、隣り合う山折部の間には谷折部が形成されていて、前記一方の多角形において一の頂点では前記山折部と前記谷折部とが連結しており、その谷折部は、その山折部が連結する前記他方の多角形における頂点の隣の頂点に連結しており、
前記谷折部は、前記中心軸に対して斜めに形成されているフィルタ部材。
【発明の詳細な説明】
【技術分野】
【０００１】
本願発明は、フィルタ部材に関する。
【背景技術】
【０００２】
流体の濾過を目的とした装置の管路では、その管路の一部に、不織布等の不純物を捕捉するように不織布を円筒形に形成したフィルタ部材が使用される。フィルタ部材は、捕捉効率を上げるためには、不織布等の捕捉部分の表面積を大きくする必要がある。フィルタ部材の表面積を増加させる代表的な方法としては、図５に示すような、円周方向に不織布を折り返すフィルタ部材５０を構成することが考えられる。これは、大きな円周の不織布を円周方向に折り畳むことで、表面積を大きくする方法である。しかし、このようなフィルタ部材５０では、中心部分５１に環状で不織布の密度が高く集中するため、流体の流れを阻害して、ライフが短くなる問題がある。【０００３】
これに対し、特許文献１では長手方向に長い筒形の不織布を用意して、それを長手方向に縮めることで表面積を増加させるフィルタ部材６０が提案されている。この手法では、不織布の密度が高い部位が全円周の中心部に環状に存在することはなく、円周方向に分散するために、流体の流れを阻害せず、従前の不織布を円周方向に折り畳む手法よりも有利である。しかし、この手法においては、以下の問題が生じる。
【先行技術文献】
【特許文献】
【０００４】
【特許文献１】特許第５５３９７４０号公報
【発明の概要】
【発明が解決しようとする課題】
【０００５】
ここでは、頂点４０，頂点４１，頂点４２，頂点４３により形成される四角形の断面穴に対し、４５度ずれた形で、頂点３０，頂点３１，頂点３２，頂点３３により四角形の断面穴が形成される。これと同様に、フィルタ部材６０の中心軸ＣＬに沿って、この方法を利用したフィルタ部材では、図６のように、各断面を形成する頂点がフィルタ部材の中心軸ＣＬに沿って並ぶことになる。そのため、中心軸ＣＬに沿って、縮めて畳むと、各頂点の位置が一致する。図７は、図６の中心軸ＣＬに沿った方向からフィルタ部材６０を見た図である。すなわち、図６と図７に示すように、頂点３０は頂点３４と一致し、同様に、たとえば、頂点３１と頂点３５とが、また頂点３２と頂点３６とが、頂点４０と頂点４４とが、頂点４１と頂点４５とが一致することになる。そうすると、図６および図７に示すように中心軸ＣＬに沿って畳んだ際には、隣り合うフィルタの折り畳み領域Ａと折り畳み領域Ｂとが完全に重なる。この折り畳み領域の重なりは、中心軸ＣＬに沿って連続する。特に、図７のように、折り畳み領域のうち、領域Ｘは、一番重なりが厚くなる。この重なりの部分は、不織布の密度が高い部位が大きく存在し、依然として流体の流れを阻害する。また、フィルタ部材をカートリッジ化した際には、筒形のフィルタ部材の外径と内径は基本的に周囲長により固定される。しかし、特許文献１の形状では、内径を小さくするためには、多角形の辺数を減らすことが必要となり、最も小さい多角形として三角形とせざるをえない。そうすると、この時の内径は外径の１／２となり、これが内径として選択することができる制限となる。すなわち、この手法の場合は、外形を決定してしまうと、内径の選択ができない問題が生じる。
【課題を解決するための手段】
【０００６】
中心軸を有する筒状の不織布を形成し、その中心軸に沿って所定の間隔をもって並んで形成される同一形状の複数の多角形の断面を有するフィルタ部材であって、前記多角形のそれぞれは各辺が前記中心軸に垂直な面に山折部で形成される、前記複数の多角形の断面において、隣り合う多角形同士において、一方の多角形の各頂点は他方の多角形の各頂点と山折部で連結され、前記一方の多角形の各頂点と前記他方の多角形の各頂点とを連結する山折部のうち、隣り合う山折部の間には谷折部が形成されていて、前記一方の多角形において一の頂点では前記山折部と前記谷折部とが連結しており、その谷折部は、その山折部が連結する前記他方の多角形における頂点の隣の頂点に連結しており、前記谷折部は、前記中心軸に対して斜めに形成されているフィルタ部材により、解決する。
【発明の効果】
【０００７】
本発明により、多角形の辺数を減らさずに内径の選択をすることができる。
【図面の簡単な説明】
【０００８】
【図１】本発明のフィルタ部材の外観を示している。
【図２】本発明のフィルタ部材の断面を示している。
【図３】本発明のフィルタ部材の外観と断面の関係を示している。
【図４】本発明のフィルタ部材の隣り合う断面の関係を示している。
【図５】円周方向に不織布を折りたたんでフィルタ部材の表面積を増加させる構成を示した図である。
【図６】長手方向に不織布を折りたたんでフィルタ部材の表面積を増加させる構成を示した図である。
【図７】長手方向に不織布を折りたたんでフィルタ部材の表面積を増加させる構成を示した図である。
【発明を実施するための形態】
【０００９】
（実施の形態１）
図１から図４を参照して、本願発明について説明する。図１は、本発明のフィルタ部材を示している。図２は、図１の中心軸ＣＬに沿った方向から見た断面図である。図３は、本発明のフィルタ部材の外観と断面の関係を示している。図４は、本発明のフィルタ部材の隣り合う断面の関係を示している。
【００１０】
フィルタ部材１０は、中心軸を周りに筒状に不織布を形成したものである。フィルタ部材１０は中心軸ＣＬに沿った方向にｍ個のｎ角形の断面部が、間隔をもって、並んで形成されている。すなわち、中心軸を有する筒状の不織布を形成し、その中心軸に沿って所定の間隔をもって並んで形成される同一形状の複数の多角形の断面を有するフィルタ部材である。ここでは実施の形態の代表例としてｎ＝６として、六角形を例に一般化されたｎ角形の場合を説明する。
【００１１】
ｎ角形の多角形（六角形）のそれぞれにおいて、各辺は、中心軸ＣＬに垂直な面に山折部で形成される。そして、複数の多角形（六角形）の各断面において、隣り合う多角形同士において、一方の多角形の各頂点は他方の多角形の各頂点と山折部で連結される。すなわち、図１および図２において、たとえば、頂点１１，頂点１２，頂点１３，頂点１４，頂点１５，頂点１６により形成される六角形の断面と、それに隣接する六角形の断面(頂点１７，頂点１８，頂点１９，頂点２０．．．)において、一方の六角形の頂点１１，頂点１２，頂点１３・・・頂点１６と、それに隣接する六角形の頂点１７，頂点１８，頂点１９，頂点２０・・・とが山折部１０ａで連結される。そして、隣り合う山折部１０ａのうち、隣り合う山折部１０ａの間には谷折部１０ｂが形成される。そして、六角形において一の頂点、たとえば頂点１１では山折部１０ａと谷折部１０ｂとが連結しており、谷折部１０ｂは、山折部１０ａが連結する隣接する六角形における頂点の隣の頂点に連結する。これにより、山折部１０ａと谷折部１０ｂは、中心軸ＣＬに対して斜めに形成される。
【００１２】
このように、フィルタ部材１０に、山折部１０ａと谷折部１０ｂとを交互に形成させるねじりの構造をとることで、フィルタ部材１０をフィルタ部材１０の中心軸ＣＬ方向に畳んだ際に隣り合うフィルタの重なり領域の頂点を一致しないようにすることができる。すなわち、フィルタ部材１０をフィルタ部材１０の軸方向に畳んだ際に、頂点１１，頂点１２，頂点１８で形成される隣り合う重なり領域と、頂点１１，頂点１７，頂点１８で形成される隣り合う重なり領域とは、頂点１２と頂点１７とが、完全に一致しないようにすることができる。したがって、フィルタ部材１０の中心軸ＣＬの方向に畳んだ際にフィルタ部材１０の隣り合う重なり領域のうち、その一部の領域である図２の領域Ｙの部分のみが重なるようにすることができる。その他の頂点も同様である。
【００１３】
さらに、本願発明のフィルタ部材１０では、山折部１０ａと谷折部１０ｂとが中心軸ＣＬに沿って斜めに位置するので、隣り合う領域Ｙは中心軸ＣＬ周りに回転対称に位置することになる。そのため、フィルタ部材１０をフィルタ部材１０の中心軸ＣＬの軸方向に畳んだ際には、中心軸ＣＬの軸方向に隣り合って重なる領域は領域Ｙのうち、領域Ｚの量に減少する。この点、従来技術の図７に示す折り畳み領域の重なりが、中心軸ＣＬに沿って連続する態様と大きく異なる。従来技術では、折り畳み領域で隣り合って重なる領域Ｘは、常に中心軸ＣＬに沿って同じ面積となり、そこに不織布の密度の高さが集中する領域を作ってしまう。しかし、本願の場合には、フィルタ部材１０をフィルタ部材１０の中心軸ＣＬの軸方向に畳んでも、中心軸ＣＬの軸方向に隣り合って重なる領域は、たとえば領域Ｙから領域Ｚの量に減少するように、隣なって重なる領域は減少する。これにより、本願発明の構成をとれば、フィルタ部材１０をフィルタ部材１０の中心軸ＣＬの軸方向に畳んだとしても、不織布の密度の高さが集中する領域を減少させ、分散させることができる。
【００１４】
フィルタ部材１０は、各断面のｎ角形の各頂点が中心軸ＣＬに沿った方向に並んだ列（１，２，・・・，ｐ，・・・ｎ）として形成されている。基準となる列に位置する頂点を１番目として隣に位置する列に向かってｎ番目まで、各頂点が中心軸ＣＬに沿った方向に並んだ列（１，２，・・・，ｐ，・・・ｎ）をなしている。
【００１５】
図３および図４に示すように、ここで、任意の列をｑ番目とした場合に、ｐ（１以上からｍ以下の任意の自然数）番目のｎ角形の各頂点をip,q（ｐ＝１以上ｍ以下，ｑ＝１以上ｎ以下）とする。図３および図４では、たとえば、１番目の断面では、i1,1，i1,2，i1,3,・・・，i1,q，・・・，i1,n-1，i1,nとなる。六角形の場合には、i1,1，i1,2，i1,3, i1,4，i1,5，i1,6となる。任意のｐ番目の断面では、ip,1，ip,2，ip,3,・・・，ip,q，・・・，ip,n-1，ip,nとなる。六角形の場合には、ip,1，ip,2，ip,3, ip,4，ip,5，ip,6となる。他端のｍ番目の断面では、im,1，im,2，im,3,・・・，im,q，・・・，im,n-1，im,nとなる。六角形の場合には、im,1，im,2，im,3, im,4，im,5，im,6となる。
【００１６】
フィルタ部材１０は、各断面の間において、ねじりの構造を有している。すなわち、任意の一の断面とそれと隣り合う他の断面において、各頂点が中心軸ＣＬに回りにねじれてずれるような山折部１０ａを形成する。そして、その山折部１０ａの間には、谷折部１０ｂが形成される。これにより、前記のとおり、山折部１０ａと谷折部１０ｂは、中心軸ＣＬに対して斜めに形成される。
【００１７】
ｐ番目のｎ角形の断面部における頂点ip,qと、前記ｐ−１番目のｎ角形の断面部における頂点ip-1，q-1とを結合するような山折部を有するようにねじりの構造を有している。図４に示すように、隣り合う任意の断面において、im,1はim-1,nと、im,2はim-1,1と、im,3はim-1,2と、任意の頂点im,qはim-1,q-1と、im,n-1はim-1,n-2と、im,nはim-1,n-1と、結合するような山折部を有している。六角形の場合には、im,1はim-1,nと、im,2はim-1,1と、im,3はim-1,2と、任意の頂点im,4はim-1,3と、im,5はim-1,4と、im,6はim-1,5と、結合するような山折部を有している。このとき、ねじりの構造のねじりの量は任意に決定することができる。山折部は、逆の対応でもよい。
【００１８】
この構成とすることにより、フィルタ部材を折りたたんだとしても、重なり部の量を減らして、ライフを長くすることができる。
【符号の説明】
【００１９】
１０    フィルタ部材  
１０ａ  山折部
１０ｂ  谷折部
５０    従来のフィルタ部材
【図１】
2018092178.tif 000003
【図２】
2018092178.tif 000004
【図３】
2018092178.tif 000005
【図４】
2018092178.tif 000006
【図５】
2018092178.tif 000007
【図６】
2018092178.tif 000008
【図７】
2018092178.tif 000009
【国際調査報告】
2018092178.tif 000010
2018092178.tif 000011
2018092178.tif 000012
2018092178.tif 000013
2018092178.tif 000014